(57)【要約】  本願実施例は信号伝送の方法、ネットワーク装置及び端末装置を開示し、該方法は、ネットワーク装置が少なくとも１つの省電力信号の送信リソースを決定し、該少なくとも１つの省電力信号と少なくとも１つの第１信号とが関連し、又は、該少なくとも１つの省電力信号の送信リソースと少なくとも１つの時間ユニットとが関連することと、該ネットワーク装置が該少なくとも１つの省電力信号の送信リソースにおいて該少なくとも１つの省電力信号をそれぞれ送信することと、を含む。本願実施例の方法、ネットワーク装置及び端末装置は、端末装置の省電力信号受信の信頼性を高めることに利する。
2021530137.tif 000002
【特許請求の範囲】
【請求項１】
信号伝送の方法であって、
ネットワーク装置が少なくとも１つの省電力信号の送信リソースを決定し、前記少なくとも１つの省電力信号と少なくとも１つの第１信号とが関連し、又は、前記少なくとも１つの省電力信号の送信リソースと少なくとも１つの時間ユニットとが関連することと、
前記ネットワーク装置が前記少なくとも１つの省電力信号の送信リソースにおいて前記少なくとも１つの省電力信号をそれぞれ送信することと、を含むことを特徴とする信号伝送の方法。
【請求項２】
前記少なくとも１つの第１信号は第１セットの第１サブセットであり、前記方法は更に、
前記ネットワーク装置が端末装置に前記少なくとも１つの第１信号の情報を送信し、前記少なくとも１つの第１信号の情報は、前記端末装置が前記少なくとも１つの第１信号と関連する省電力信号の送信リソースを決定することに用いられることを含むことを特徴とする請求項１に記載の方法。
【請求項３】
前記少なくとも１つの第１信号の情報は更に、前記端末装置が前記第１セットにおける第１信号と関連する省電力信号のレートマッチングを行うことに用いられることを特徴とする請求項２に記載の方法。
【請求項４】
前記第１信号は同期／ブロードキャストチャネル（ＳＳ／ＰＢＣＨ）ブロック及び／又はチャネル状態情報参照信号（ＣＳＩ−ＲＳ）を含み、前記少なくとも１つの時間ユニットは第１ページング時点（ＰＯ）における時間ユニットであることを特徴とする請求項１〜３のいずれか１項に記載の方法。
【請求項５】
前記省電力信号と前記第１信号とは疑似コロケーションであり、前記省電力信号と前記時間ユニットにおいて送信される信号とは疑似コロケーションであることを特徴とする請求項１〜４のいずれか１項に記載の方法。
【請求項６】
前記少なくとも１つの省電力信号は複数の省電力信号であり、前記複数の省電力信号における任意の２つの省電力信号の送信時間ユニット、周波数領域位置及びシーケンスのうちの少なくとも１つは異なることを特徴とする請求項１〜５のいずれか１項に記載の方法。
【請求項７】
前記送信時間ユニット、前記周波数領域位置又は前記シーケンスは前記ネットワーク装置によって設定されたものであることを特徴とする請求項６に記載の方法。
【請求項８】
前記少なくとも１つの省電力信号は１つの送信ウィンドウに対応し、前記送信ウィンドウは間欠受信（ＤＲＸ）送信ウィンドウ、ページング時点又はＰＤＣＣＨサーチスペースを含むことを特徴とする請求項１〜７のいずれか１項に記載の方法。
【請求項９】
信号伝送の方法であって、
端末装置が少なくとも１つの省電力信号の受信リソースを決定し、前記少なくとも１つの省電力信号と少なくとも１つの第１信号とが関連し、又は、前記少なくとも１つの省電力信号の受信リソースと少なくとも１つの時間ユニットとが関連することと、
前記端末装置が前記少なくとも１つの省電力信号の受信リソースにおいて前記少なくとも１つの省電力信号をそれぞれ受信することと、を含むことを特徴とする信号伝送の方法。
【請求項１０】
前記少なくとも１つの第１信号は第１セットの第１サブセットであり、前記方法は更に、
前記端末装置が前記ネットワーク装置から送信された前記少なくとも１つの第１信号の情報を受信することを含み、
前記端末装置が少なくとも１つの省電力信号の受信リソースを決定することは、
前記端末装置が前記少なくとも１つの第１信号の情報に基づいて、前記少なくとも１つの省電力信号の受信リソースを決定することを含むことを特徴とする請求項９に記載の方法。
【請求項１１】
前記方法は更に、
前記端末装置が前記少なくとも１つの第１信号の情報に基づいて、前記第１セットにおける第１信号と関連する省電力信号のレートマッチングを行うことを含むことを特徴とする請求項１０に記載の方法。
【請求項１２】
前記端末装置が前記少なくとも１つの第１信号の情報に基づいて、前記第１セットにおける第１信号と関連する省電力信号のレートマッチングを行うことは、
前記端末装置が前記第１セットの第２サブセットと関連する省電力信号の受信リソースにおいて、前記省電力信号以外の信号を受信し、前記第２サブセットは前記第１セットにおける、前記少なくとも１つの第１信号以外の第１信号を含むことを含むことを特徴とする請求項１１に記載の方法。
【請求項１３】
前記第１信号は同期／ブロードキャストチャネル（ＳＳ／ＰＢＣＨ）ブロック及び／又はチャネル状態情報参照信号（ＣＳＩ−ＲＳ）を含み、前記少なくとも１つの時間ユニットは第１ページング時点（ＰＯ）における時間ユニットであることを特徴とする請求項９〜１２のいずれか１項に記載の方法。
【請求項１４】
前記省電力信号と前記第１信号とは疑似コロケーションであり、前記省電力信号と前記時間ユニットにおいて送信される信号とは疑似コロケーションであることを特徴とする請求項９〜１３のいずれか１項に記載の方法。
【請求項１５】
前記少なくとも１つの省電力信号は複数の省電力信号であり、前記複数の省電力信号における任意の２つの省電力信号の送信時間ユニット、周波数領域位置及びシーケンスのうちの少なくとも１つは異なることを特徴とする請求項９〜１４のいずれか１項に記載の方法。
【請求項１６】
前記送信時間ユニット、前記周波数領域位置又は前記シーケンスは前記ネットワーク装置によって設定されたものであることを特徴とする請求項１５に記載の方法。
【請求項１７】
前記方法は更に、
前記端末装置が前記少なくとも１つの省電力信号に基づいて、前記少なくとも１つの省電力信号に対応する受信ウィンドウ内においてＰＤＣＣＨの検出を行い、又は、
前記端末装置が前記少なくとも１つの省電力信号に基づいて、前記少なくとも１つの省電力信号に対応する受信ウィンドウ内においてＰＤＣＣＨの検出を行わないことを含むことを特徴とする請求項８〜１６のいずれか１項に記載の方法。
【請求項１８】
前記受信ウィンドウは間欠受信（ＤＲＸ）送信ウィンドウ、ページング時点又はＰＤＣＣＨサーチスペースを含むことを特徴とする請求項１７に記載の方法。
【請求項１９】
前記端末装置が少なくとも１つの省電力信号の受信リソースを決定することは、
前記端末装置が前記端末装置の能力に基づいて、前記少なくとも１つの省電力信号の受信リソースを決定することを含むことを特徴とする請求項９〜１８のいずれか１項に記載の方法。
【請求項２０】
ネットワーク装置であって、
少なくとも１つの省電力信号の送信リソースを決定し、前記少なくとも１つの省電力信号と少なくとも１つの第１信号とが関連し、又は、前記少なくとも１つの省電力信号の送信リソースと少なくとも１つの時間ユニットとが関連することに用いられる決定ユニットと、
前記少なくとも１つの省電力信号の送信リソースにおいて前記少なくとも１つの省電力信号をそれぞれ送信することに用いられる送信ユニットと、を備えることを特徴とするネットワーク装置。
【請求項２１】
前記少なくとも１つの第１信号は第１セットの第１サブセットであり、前記送信ユニットは更に、
端末装置に前記少なくとも１つの第１信号の情報を送信し、前記少なくとも１つの第１信号の情報は、前記端末装置が前記少なくとも１つの第１信号と関連する省電力信号の送信リソースを決定することに用いられることに用いられることを特徴とする請求項２０に記載のネットワーク装置。
【請求項２２】
前記少なくとも１つの第１信号の情報は更に、前記端末装置が前記第１セットにおける第１信号と関連する省電力信号のレートマッチングを行うことに用いられることを特徴とする請求項２１に記載のネットワーク装置。
【請求項２３】
前記第１信号は同期／ブロードキャストチャネル（ＳＳ／ＰＢＣＨ）ブロック及び／又はチャネル状態情報参照信号（ＣＳＩ−ＲＳ）を含み、前記少なくとも１つの時間ユニットは第１ページング時点（ＰＯ）における時間ユニットであることを特徴とする請求項２０〜２２のいずれか１項に記載のネットワーク装置。
【請求項２４】
前記省電力信号と前記第１信号とは疑似コロケーションであり、前記省電力信号と前記時間ユニットにおいて送信される信号とは疑似コロケーションであることを特徴とする請求項２０〜２３のいずれか１項に記載のネットワーク装置。
【請求項２５】
前記少なくとも１つの省電力信号は複数の省電力信号であり、前記複数の省電力信号における任意の２つの省電力信号の送信時間ユニット、周波数領域位置及びシーケンスのうちの少なくとも１つは異なることを特徴とする請求項２０〜２４のいずれか１項に記載のネットワーク装置。
【請求項２６】
前記送信時間ユニット、前記周波数領域位置又は前記シーケンスは前記ネットワーク装置によって設定されたものであることを特徴とする請求項２５に記載のネットワーク装置。
【請求項２７】
前記少なくとも１つの省電力信号は１つの送信ウィンドウに対応し、前記送信ウィンドウは間欠受信（ＤＲＸ）送信ウィンドウ、ページング時点又はＰＤＣＣＨサーチスペースを含むことを特徴とする請求項２０〜２６のいずれか１項に記載のネットワーク装置。
【請求項２８】
端末装置であって、
少なくとも１つの省電力信号の受信リソースを決定し、前記少なくとも１つの省電力信号と少なくとも１つの第１信号とが関連し、又は、前記少なくとも１つの省電力信号の受信リソースと少なくとも１つの時間ユニットとが関連することに用いられる決定ユニットと、
前記少なくとも１つの省電力信号の受信リソースにおいて前記少なくとも１つの省電力信号をそれぞれ受信することに用いられる受信ユニットと、を備えることを特徴とする端末装置。
【請求項２９】
前記少なくとも１つの第１信号は第１セットの第１サブセットであり、前記受信ユニットは更に、
前記ネットワーク装置から送信された前記少なくとも１つの第１信号の情報を受信することに用いられ、
前記決定ユニットは具体的に、
前記少なくとも１つの第１信号の情報に基づいて、前記少なくとも１つの省電力信号の受信リソースを決定することに用いられることを特徴とする請求項２８に記載の端末装置。
【請求項３０】
前記端末装置は更に、
前記少なくとも１つの第１信号の情報に基づいて、前記第１セットにおける第１信号と関連する省電力信号のレートマッチングを行うことに用いられるレートマッチングユニットを備えることを特徴とする請求項２９に記載の端末装置。
【請求項３１】
前記レートマッチングユニットは具体的に、
前記第１セットの第２サブセットと関連する省電力信号の受信リソースにおいて、前記省電力信号以外の信号を受信し、前記第２サブセットは前記第１セットにおける、前記少なくとも１つの第１信号以外の第１信号を含むことに用いられることを特徴とする請求項３０に記載の端末装置。
【請求項３２】
前記第１信号は同期／ブロードキャストチャネル（ＳＳ／ＰＢＣＨ）ブロック及び／又はチャネル状態情報参照信号（ＣＳＩ−ＲＳ）を含み、前記少なくとも１つの時間ユニットは第１ページング時点（ＰＯ）における時間ユニットであることを特徴とする請求項２８〜３２のいずれか１項に記載の端末装置。
【請求項３３】
前記省電力信号と前記第１信号とは疑似コロケーションであり、前記省電力信号と前記時間ユニットにおいて送信される信号とは疑似コロケーションであることを特徴とする請求項２８〜３２のいずれか１項に記載の端末装置。
【請求項３４】
前記少なくとも１つの省電力信号は複数の省電力信号であり、前記複数の省電力信号における任意の２つの省電力信号の送信時間ユニット、周波数領域位置及びシーケンスのうちの少なくとも１つは異なることを特徴とする請求項２８〜３３のいずれか１項に記載の端末装置。
【請求項３５】
前記送信時間ユニット、前記周波数領域位置又は前記シーケンスは前記ネットワーク装置によって設定されたものであることを特徴とする請求項３４に記載の端末装置。
【請求項３６】
前記端末装置は更に、
前記少なくとも１つの省電力信号に基づいて、前記少なくとも１つの省電力信号に対応する受信ウィンドウ内においてＰＤＣＣＨの検出を行い、又は、
前記少なくとも１つの省電力信号に基づいて、前記少なくとも１つの省電力信号に対応する受信ウィンドウ内においてＰＤＣＣＨの検出を行わないことに用いられる検出ユニットを備えることを特徴とする請求項２８〜３５のいずれか１項に記載の端末装置。
【請求項３７】
前記受信ウィンドウは間欠受信（ＤＲＸ）送信ウィンドウ、ページング時点又はＰＤＣＣＨサーチスペースを含むことを特徴とする請求項３６に記載の端末装置。
【請求項３８】
前記決定ユニットは具体的に、
前記端末装置の能力に基づいて、前記少なくとも１つの省電力信号の受信リソースを決定することに用いられることを特徴とする請求項２８〜３７のいずれか１項に記載の端末装置。
【請求項３９】
ネットワーク装置であって、プロセッサ及びメモリを備え、該メモリはコンピュータプログラムを記憶することに用いられ、前記プロセッサは前記メモリに記憶されるコンピュータプログラムを呼び出して実行し、請求項１〜８のいずれか１項に記載の方法を実行することに用いられることを特徴とするネットワーク装置。
【請求項４０】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項９〜１９のいずれか１項に記載の方法を実行することに用いられることを特徴とする端末装置。
【請求項４１】
チップであって、メモリからコンピュータプログラムを呼び出して実行し、それによって、前記チップを搭載する装置に請求項１〜８のいずれか１項に記載の方法を実行させることに用いられるプロセッサを備えることを特徴とするチップ。
【請求項４２】
チップであって、メモリからコンピュータプログラムを呼び出して実行し、それによって、前記チップを搭載する装置に請求項９〜１９のいずれか１項に記載の方法を実行させることに用いられるプロセッサを備えることを特徴とするチップ。
【請求項４３】
コンピュータ可読記憶媒体であって、コンピュータプログラムを記憶することに用いられ、前記コンピュータプログラムはコンピュータに請求項１〜８のいずれか１項に記載の方法を実行させることを特徴とするコンピュータ可読記憶媒体。
【請求項４４】
コンピュータ可読記憶媒体であって、コンピュータプログラムを記憶することに用いられ、前記コンピュータプログラムはコンピュータに請求項９〜１９のいずれか１項に記載の方法を実行させることを特徴とするコンピュータ可読記憶媒体。
【請求項４５】
コンピュータプログラム製品であって、コンピュータプログラム命令を含み、該コンピュータプログラム命令はコンピュータに請求項１〜８のいずれか１項に記載の方法を実行させることを特徴とするコンピュータプログラム製品。
【請求項４６】
コンピュータプログラム製品であって、コンピュータプログラム命令を含み、該コンピュータプログラム命令はコンピュータに請求項９〜１９のいずれか１項に記載の方法を実行させることを特徴とするコンピュータプログラム製品。
【請求項４７】
コンピュータプログラムであって、コンピュータに請求項１〜８のいずれか１項に記載の方法を実行させることを特徴とするコンピュータプログラム。
【請求項４８】
コンピュータプログラムであって、コンピュータに請求項９〜１９のいずれか１項に記載の方法を実行させることを特徴とするコンピュータプログラム。
【発明の詳細な説明】
【技術分野】
【０００１】
本願実施例は通信分野に関し、具体的に、信号伝送の方法、ネットワーク装置及び端末装置に関する。
【背景技術】
【０００２】
端末の消費電力を低減させるために、間欠受信（ＤＲＸ、Ｄｉｓｃｏｎｔｉｎｕｏｕｓ  Ｒｅｃｅｐｔｉｏｎ）メカニズムが導入され、これにより、端末はデータ受信がない場合、常に受信機を稼動させる必要がなく、端末は間欠受信の状態に入り、それによって、省電力の目的を実現できる。アイドル（ｉｄｌｅ）状態での端末はＤＲＸに類似するような方式でページングメッセージを受信する必要があり、１つのＤＲＸ周期内には１つのページング時点（ＰＯ、ｐａｇｉｎｇ  ｏｃｃａｓｉｏｎ）が存在し、端末はＰＯのみにおいてページングメッセージを受信し、ＰＯ以外の時間においてはページングメッセージを受信せず、それによって、省電力の目的を実現する。
【０００３】
通信システムの進化に伴って、端末の節電について更に高い要求が求められている。例えば、現在のＤＲＸメカニズムでは、各ｏｎ  ｄｕｒａｔｉｏｎにおいて、端末は、基地局が自分宛のデータ伝送をスケジューリングするかどうかを判断するために、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を継続的に検出する必要がある。しかし、大部分の端末の場合、かなり長い間にデータ伝送を受信する必要がない可能性があるが、それでも定期的にウェイクアップするメカニズムを維持して発生可能なダウンリンク伝送をセンシングする必要があり、このような端末の場合、節電を更に最適化する余地がある。ｉｄｌｅ状態における端末のページングメッセージ受信の場合もそれに似ている。
【０００４】
ＤＲＸメカニズムについて、ｏｎ  ｄｕｒａｔｉｏｎの前に端末に指示信号を送信してもよく、端末は該指示信号を検出した場合のみ、ＤＲＸのｏｎ  ｄｕｒａｔｉｏｎにおいてＰＤＣＣＨ検出及びデータ受信を行い、そうでない場合は、ＰＤＣＣＨ検出を行わない。該指示信号は省電力信号（ＷＵＳ、ｐｏｗｅｒ  ｓａｖｉｎｇ  ｓｉｇｎａｌ）とも称される。それと類似して、ｉｄｌｅ状態における端末のページングメッセージ受信の場合、ＰＯの前に省電力信号を検出することによって、今回のＰＯにおいてＰＤＣＣＨを検出する必要があるかどうかを判断する。現在ではどのように該省電力信号を送信するかについて具体的な実現はない。
【発明の概要】
【発明が解決しようとする課題】
【０００５】
本願実施例は、信号伝送の方法、ネットワーク装置及び端末装置を提供し、端末装置の省電力信号受信の信頼性を高めることに利する。
【課題を解決するための手段】
【０００６】
第１態様は信号伝送の方法を提供し、ネットワーク装置が少なくとも１つの省電力信号の送信リソースを決定し、該少なくとも１つの省電力信号と少なくとも１つの第１信号とが関連し、又は、該少なくとも１つの省電力信号の送信リソースと少なくとも１つの時間ユニットとが関連することと、該ネットワーク装置が該少なくとも１つの省電力信号の送信リソースにおいて該少なくとも１つの省電力信号をそれぞれ送信することと、を含む。
【０００７】
第２態様は信号伝送の方法を提供し、端末装置が少なくとも１つの省電力信号の受信リソースを決定し、該少なくとも１つの省電力信号と少なくとも１つの第１信号とが関連し、又は、該少なくとも１つの省電力信号の受信リソースと少なくとも１つの時間ユニットとが関連することと、該端末装置が該少なくとも１つの省電力信号の受信リソースにおいて該少なくとも１つの省電力信号をそれぞれ受信することと、を含む。
【０００８】
第３態様はネットワーク装置を提供し、上記第１態様又はその各実現方式における方法を実行することに用いられる。
【０００９】
具体的には、該ネットワーク装置は、上記第１態様又はその各実現方式における方法を実行するための機能モジュールを備える。
【００１０】
第４態様は端末装置を提供し、上記第２態様又はその各実現方式における方法を実行することに用いられる。
【００１１】
具体的には、該端末装置は、上記第２態様又はその各実現方式における方法を実行するための機能モジュールを備える。
【００１２】
第５態様はネットワーク装置を提供し、プロセッサ及びメモリを備える。該メモリはコンピュータプログラムを記憶することに用いられ、該プロセッサは該メモリに記憶されるコンピュータプログラムを呼び出して実行し、上記第１態様又はその各実現方式における方法を実行することに用いられる。
【００１３】
第６態様は端末装置を提供し、プロセッサ及びメモリを備える。該メモリはコンピュータプログラムを記憶することに用いられ、該プロセッサは該メモリに記憶されるコンピュータプログラムを呼び出して実行し、上記第２態様又はその各実現方式における方法を実行することに用いられる。
【００１４】
第７態様はチップを提供し、上記第１態様〜第２態様のいずれか１態様又はその各実現方式における方法を実現することに用いられる。
【００１５】
具体的に、該チップは、メモリからコンピュータプログラムを呼び出して実行し、これにより、該チップを搭載する装置に上記第１態様〜第２態様のいずれか１態様又はその各実現方式における方法を実行させることに用いられるプロセッサを備える。
【００１６】
第８態様はコンピュータ可読記憶媒体を提供し、コンピュータプログラムを記憶することに用いられ、該コンピュータプログラムは、コンピュータに上記第１態様〜第２態様のいずれか１態様又はその各実現方式における方法を実行させる。
【００１７】
第９態様はコンピュータプログラム製品を提供し、コンピュータプログラム命令を含み、該コンピュータプログラム命令は、コンピュータに上記第１態様〜第２態様のいずれか１態様又はその各実現方式における方法を実行させる。
【００１８】
第１０態様はコンピュータプログラムを提供し、それがコンピュータにおいて実行される時、コンピュータは、上記第１態様〜第２態様のいずれか１態様又はその各実現方式における方法を実行する。
【００１９】
上記の技術案によって、省電力信号と既存の幾つかの信号とを、又は省電力信号の送信リソースと既存の幾つかの時間ユニットとを関連させ、端末装置の省電力信号受信の信頼性を高めることに利する。
【図面の簡単な説明】
【００２０】
【図１】図１は本願実施例が提供する通信システムアーキテクチャの模式図である。
【図２】図２は本願実施例が提供する信号伝送の方法の模式図である。
【図３】図３は本願実施例が提供する信号伝送の方法の他の１つの模式図である。
【図４】図４は本願実施例が提供するネットワーク装置の模式的なブロック図である。
【図５】図５は本願実施例が提供する端末装置の模式的なブロック図である。
【図６】図６は本願実施例が提供するネットワーク装置の他の１つの模式的なブロック図である。
【図７】図７は本願実施例が提供する端末装置の他の１つの模式的なブロック図である。
【図８】図８は本願実施例が提供するチップの模式的なブロック図である。
【図９】図９は本願実施例が提供する通信システムの模式的なブロック図である。…
【発明を実施するための形態】
【００２１】
以下は、本願実施例の図面を参照しながら、本願実施例における技術案を説明する。明らかに、説明される実施例は本願の一部実施例であり、全部の実施例ではない。本願における実施例に基づいて、当業者が創造的な労力を要することなく獲得した全ての他の実施例は、いずれも本願の保護する範囲に属する。
【００２２】
本願実施例の技術案は、各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇシステム等に適用できる。
【００２３】
例として、本願実施例に適用される通信システム１００は図１に示す通りである。該通信システム１００はネットワーク装置１１０を備えてもよく、ネットワーク装置１１０は端末装置１２０（又は通信端末、端末と称される）と通信する装置であってもよい。ネットワーク装置１１０は特定の地理的区域に通信カバレッジを提供でき、そして該カバレッジ区域内に位置する端末装置と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであり、又は、該ネットワーク装置は、モバイルスイッチングセンター、中継局、アクセスポイント、車載装置、ウェアラブルデバイス、コンセントレータ、交換機、ブリッジ、ルーター、５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２４】
該通信システム１００は更にネットワーク装置１１０のカバレッジ範囲内に位置する少なくとも１つの端末装置１２０を備える。ここで使用される「端末装置」は、ユーザ装置（ＵＥ、Ｕｓｅｒ  Ｅｑｕｉｐｍｅｎｔ）、アクセス端末、加入者ユニット、加入者局、移動局、トラバーサー、遠隔局、遠隔端末、モバイルデバイス、ユーザ端末、端末、無線通信装置、ユーザエージェント又はユーザデバイスを含むが、これらには限らない。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続された他の処理装置、車載装置、ウェアラブルデバイス、将来の５Ｇネットワークにおける端末装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本発明実施例はこれを限定しない。
【００２５】
選択肢として、端末装置１２０同士の間では端末ダイレクト（Ｄ２Ｄ、Ｄｅｖｉｃｅ  ｔｏ  Ｄｅｖｉｃｅ）通信を行うことができる。
【００２６】
選択肢として、５Ｇシステム又は５Ｇネットワークは更に新無線（ＮＲ、Ｎｅｗ  Ｒａｄｉｏ）システム又はＮＲネットワークと称されてもよい。
【００２７】
図１は１つのネットワーク装置と２つの端末装置を例示的に示しているが、選択肢として、該通信システム１００は複数のネットワーク装置を備えてもよく、そして各ネットワーク装置のカバレッジ範囲内に他の数の端末装置が含まれてもよく、本願実施例はこれについて限定しない。
【００２８】
選択肢として、該通信システム１００は更に、ネットワークコントローラ、移動管理エンティティ等の他のネットワークエンティティを備えてもよく、本願実施例はこれについて限定しない。
【００２９】
理解されるように、本願実施例におけるネットワーク／システムにおける通信機能を備えた装置は通信装置と称されてもよい。図１に示す通信システム１００を例とすると、通信装置は通信機能を有するネットワーク装置１１０及び端末装置１２０を含んでもよく、ネットワーク装置１１０及び端末装置１２０は上記に記載の具体的な装置であってもよく、ここでは繰り返して説明しない。通信装置は更に通信システム１００における他の装置、例えば、ネットワークコントローラ、移動管理エンティティ等の他のネットワークエンティティを含んでもよく、本願実施例はこれについて限定しない。
【００３０】
理解されるように、本明細書における用語「システム」と「ネットワーク」は、本明細書においてしばしば互いに交換可能に使用される。本明細書における用語「及び／又は」は、単に関連するオブジェクトの関連関係を説明するためのものであり、３つの関係が存在し得ることを表し、例えば、Ａ及び／又はＢという場合、Ａが単独に存在する、ＡとＢが同時に存在する、Ｂが単独に存在する、という３つの状況を表すことができる。尚、本明細書における「／」という文字は、一般的に前後の関連オブジェクトが「又は」の関係であることを表す。
【００３１】
端末の消費電力を低減させるために、ＬＴＥ及びＮＲシステムのいずれにもＤＲＸメカニズムがあり、端末はデータ受信がない場合、常に受信機を稼動させる必要がなく、端末は間欠受信の状態に入り、それによって、省電力の目的を実現できる。ＤＲＸのメカニズムは接続状態にあるＵＥにＤＲＸ  ｃｙｃｌｅを設定することを含み、１つのＤＲＸ  ｃｙｃｌｅは「Ｏｎ  Ｄｕｒａｔｉｏｎ」と「Ｏｐｐｏｒｔｕｎｉｔｙ  ｆｏｒ  ＤＲＸ」からなる。「Ｏｎ  Ｄｕｒａｔｉｏｎ」時間内においては、ＵＥはＰＤＣＣＨを含むダウンリンクチャネル及び信号をセンシングして受信し、「Ｏｐｐｏｒｔｕｎｉｔｙ  ｆｏｒ  ＤＲＸ」時間内においては、ＵＥはＰＤＣＣＨ等のダウンリンクチャネル及び信号を受信せず、それによって、消費電力を低減させる。アイドル（ｉｄｌｅ）状態での端末はＤＲＸに類似するような方式でページングメッセージを受信する必要があり、１つのＤＲＸ周期内には１つのページング時点（ＰＯ）が存在し、ＵＥはＰＯのみにおいてページングメッセージを受信し、ＰＯ以外の時間においてはページングメッセージを受信せず、それによって、省電力の目的を実現する。ＰＯ期間において、ＵＥは、ページング無線ネットワーク一時識別子（Ｐ−ＲＮＴＩ、Ｐａｇｉｎｇ  Ｒａｄｉｏ  Ｎｅｔｗｏｒｋ  Ｔｅｍｐｏｒｙ  Ｉｄｅｎｔｉｔｙ）でスクランブルされたＰＤＣＣＨ信号を検出することによって、ページングメッセージがあるかどうかを判断する。
【００３２】
５Ｇの進化において、ＵＥの節電について更に高い要求が求められている。例えば、現在のＤＲＸメカニズムでは、各ｏｎ  ｄｕｒａｔｉｏｎ期間において、ＵＥは、基地局が自分宛のデータ伝送をスケジューリングするかどうかを判断するために、ＰＤＣＣＨを継続的に検出する必要がある。しかし、大部分のＵＥの場合、かなり長い間にデータ伝送を受信する必要がない可能性があるが、それでも定期的にウェイクアップするメカニズムを維持して発生可能なダウンリンク伝送をセンシングする必要があり、このようなＵＥの場合、節電を更に最適化する余地がある。アイドル状態におけるＵＥのページングメッセージ受信の場合もそれに似ている。
【００３３】
基地局はＤＲＸ  ｏｎ  ｄｕｒａｔｉｏｎにおいて端末をスケジューリングする必要があると判断した場合、ｏｎ  ｄｕｒａｔｉｏｎの前に端末装置に指示信号を送信してもよく、そうでない場合は端末装置に該指示信号を送信しない。端末は該指示信号を検出した場合のみ、ＤＲＸのｏｎ  ｄｕｒａｔｉｏｎにおいてＰＤＣＣＨ検出及びデータ受信を行い、そうでない場合は、ＰＤＣＣＨ検出を行わない。上記指示信号は端末の省電力に利し、ＷＵＳと称されてもよい。この場合、ＵＥは、今回のｏｎ  ｄｕｒａｔｉｏｎ期間にＰＤＣＣＨを検出する必要があるかどうかを判断するためには、省電力信号さえ検出すればよく、直接にＰＤＣＣＨを検出するよりは省電力できる。それと類似して、アイドル状態におけるＵＥのページングメッセージ受信の場合、ＰＯの前に省電力信号を検出することによって、今回のＰＯにおいてＰＤＣＣＨを検出する必要があるかどうかを判断する。
【００３４】
図２は本願実施例が提供する信号伝送の方法２００の模式的なフローチャートである。図２に示すように、該方法２００は以下Ｓ２１０〜Ｓ２２０の一部又は全部の内容を含む。
【００３５】
Ｓ２１０、ネットワーク装置は少なくとも１つの省電力信号の送信リソースを決定し、前記少なくとも１つの省電力信号と少なくとも１つの第１信号とは一々対応し、又は、前記少なくとも１つの省電力信号の送信リソースと少なくとも１つの時間ユニットとは一々対応する。
【００３６】
Ｓ２２０、前記ネットワーク装置は前記少なくとも１つの省電力信号の送信リソースにおいて前記少なくとも１つの省電力信号をそれぞれ送信する。
【００３７】
具体的に、ネットワーク装置は省電力信号と既存の幾つかのダウンリンク信号とを関連させ、又は省電力信号の送信リソースと既存の幾つかの時間ユニットとを関連させてもよく、これにより、端末装置はこれらの関連関係に基づいてこれらの省電力信号の送信リソースを取得でき、それによって、相応の省電力信号を受信できる。例えば、ネットワーク装置は省電力信号と同期信号（ＳＳ、Ｓｙｎｃｈｒｏｎｉｚａｔｉｏｎ  Ｓｉｇｎａｌ）／ブロードキャストチャネル（ＰＢＣＨ、ｂｒｏａｄｃａｓｔｉｎｇ  ｉｎｆｏｍａｔｉｏｎ  ｃｈａｎｎｅｌ）ブロック（Ｂｌｏｃｋ）又はチャネル状態情報参照信号（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）とを関連させてもよく、又は省電力信号と他の参照信号とを関連させてもよい。ネットワーク装置は省電力信号の送信リソースと幾つかの時間ユニットとを関連させてもよい。即ち、幾つかの時間ユニットと省電力信号の送信リソースとの位置関係を事前に設定し、これらの時間ユニットの位置を取得した時、自然に省電力信号の送信リソースを取得できる。
【００３８】
理解されるように、ここにおいて関連とは更に該省電力信号それ自体が第１信号であることを指してもよく、例えば、該省電力信号はＳＳ／ＰＢＣＨブロック、ＣＳＩ−ＲＳ等のような参照信号、又はＰＤＣＣＨチャネルそれ自体、又はＰＤＣＣＨの候補リソースを占有するチャネル又は信号であってもよい。端末装置は第１信号の送信リソースを知ると、省電力信号の送信リソースを取得できる。
【００３９】
尚、本願実施例における省電力信号はその実質は指示信号であり、前述にあったＷＵＳであってもよく、他の幾つかの信号であってもよく、例えば、既存のＳＳ／ＰＢＣＨブロック、ＣＳＩ−ＲＳ又はＰＤＣＣＨチャネルそれ自体、又はＰＤＣＣＨの候補リソースを占有するチャネル又は信号を多重化してもよく、即ち、端末装置はこれらのＳＳ／ＰＢＣＨブロック、ＣＳＩ−ＲＳ又はＰＤＣＣＨチャネルそれ自体、又はＰＤＣＣＨの候補リソースを占有するチャネル又は信号を受信し又は受信していない場合、対応する受信ウィンドウにおいてＰＤＣＣＨの検出を行わないと決定することができる。ネットワーク装置はこれらのルールを端末装置と事前に約束してもよく、本願実施例は省電力信号の具体的な表現方式については限定しない。
【００４０】
例えば、アイドル状態にある端末の場合、該省電力信号はウェイクアップ信号であってもよく、該ウェイクアップ信号は端末をウェイクアップすることに用いられ、そして該ウェイクアップ信号とＰＯとのタイミング関係はネットワーク装置によって設定されてもよい。
【００４１】
ＮＲでは、高周波による更に高いパスロスを相殺してカバレッジを高めるために、ビームフォーミング技術が導入されている。即ち、信号の送信は一定のビーム方向を有する。従って、省電力信号をセル内のＵＥに送信するために、ビームフォーミングの方式を採用してもよい。接続状態のＵＥの場合、ネットワークはＵＥのビーム方向を知っているため、相応のビームを採用してＵＥに省電力信号を送信することができる。アイドル状態のＵＥの場合、ネットワークはＵＥのビーム方向を知らず、ビームスキャンの方式で省電力信号を送信するしかない。しかし、上記のどの場合にしても、省電力信号は複数のビームによって送信される必要がある。
【００４２】
選択肢として、ネットワーク装置は複数の省電力信号の送信リソースを決定し、そして該複数の省電力信号を送信してもよい。該複数の省電力信号における異なる省電力信号は異なるビームを採用してもよい。
【００４３】
ネットワーク装置は該複数の省電力信号と複数の第１信号とを関連させてもよく、該複数の第１信号は異なるビームで送信された信号であってもよい。具体的に、第１信号と省電力信号との関連関係に基づいて、複数の省電力信号の送信リソースを決定してもよい。例えば、ネットワーク装置は、１セットの省電力信号の送信リソースと１セットのＳＳ／ＰＢＣＨブロックとの位置関係を設定してもよく、さらに、ＳＳ／ＰＢＣＨブロックの位置に基づいて、省電力信号の送信リソースを決定することができる。理解されるように、ここの各省電力信号は、１つのＳＳ／ＰＢＣＨブロックに対応してもよく、複数のＳＳ／ＰＢＣＨブロックに対応してもよく、各省電力信号の対応する複数のＳＳ／ＰＢＣＨブロックは同じビームを採用してもよく、異なる省電力信号の対応する複数のＳＳ／ＰＢＣＨブロックは異なるビームを採用してもよい。更に例えば、ネットワーク装置は、１セットの省電力信号の送信リソースと１セットのＣＳＩ−ＲＳリソースブロックとの位置関係を設定してもよく、さらに、ＣＳＩ−ＲＳリソースブロックの位置に基づいて、省電力信号の送信リソースを決定することができる。理解されるように、ここの各省電力信号は、１つのＣＳＩ−ＲＳリソースブロックに対応してもよく、複数のＣＳＩ−ＲＳリソースブロックに対応してもよく、各省電力信号の対応する複数のＣＳＩ−ＲＳリソースブロックは同じビームを採用してもよく、異なる省電力信号の対応する複数のＣＳＩ−ＲＳリソースブロックは異なるビームを採用してもよい。
【００４４】
例えば、省電力信号を異なるビームを介して送信する必要があるため、対応する省電力信号を受信できると端末装置に決定させるために、時間ユニット（例えばサブフレーム）、周波数領域位置（例えば物理リソースブロック（ＰＲＢ、ｐｈｙｓｉｃａｌ  ｒｅｓｏｕｒｃｅ  ｂｌｏｃｋ））、及びシーケンスのうちの少なくとも１つを含む、省電力信号の所在するリソース位置を端末装置に決定させる必要がある。端末装置にとって、受信するビームはＳＳ／ＰＢＣＨ  ｂｌｏｃｋ（ＳＳＢ）を受信することによって決定してもよく、ＳＳ／ＰＢＣＨ  ｂｌｏｃｋはビームスキャンの方法で送信されるため、端末装置は受信したＳＳ／ＰＢＣＨ  ｂｌｏｃｋのインデックス（ｉｎｄｅｘ）に基づいて受信するビームを決定し、これにより、ＳＳ／ＰＢＣＨ  ｂｌｏｃｋ  ｉｎｄｅｘ  ｉと関連関係を有する省電力信号ＷＵＳ  ｉのリソース位置に基づいて、ＷＵＳ  ｉを受信する。同様に、ネットワーク装置の送信するＷＵＳ  ｉはＳＳ／ＰＢＣＨ  ｂｌｏｃｋ  ｉｎｄｅｘ  ｉと関連関係を有する。省電力信号はまたＣＳＩ−ＲＳと関連関係を有してもよく、即ち、ＷＵＳ  ｉはＣＳＩ−ＲＳ  ｉｎｄｅｘ  ｉと関連があってもよい。
【００４５】
選択肢として、本願実施例では、ネットワーク装置が端末装置に実際に送信した第１信号の数量は、端末装置に送信できる第１信号の最大数量より小さくてもよく、即ち、該少なくとも１つの第１信号は第１セットにおけるサブセットであり、該第１セットはネットワーク装置によって設定され又はプロトコルによって約束されたものであってもよい。ネットワーク装置は実際の情況に応じて、該第１セットから一部の第１信号を選択して実際に送信してもよい。更にネットワーク装置は実際に送信した第１信号の情報、例えば実際に送信した第１信号の位置情報を端末装置に指示してもよい。端末装置はネットワーク装置から実際に送信された第１信号の情報を受信した後、該第１信号の受信位置を決定でき、そして第１信号と省電力信号との関連関係を参照して省電力信号の受信位置を決定できる。該ネットワーク装置から実際に送信された第１信号の情報は更に、該端末装置が該第１セットにおける第１信号と関連する省電力信号のレートマッチングを行うことに用いられることができる。即ち、端末装置はネットワーク装置から送信された第１信号の情報を受信した後、該第１セットにおける第１信号と関連する省電力信号のレートマッチングを行ってもよく、例えば、端末装置は、該第１セットにおける、ネットワーク装置から実際に送信された第１信号以外の第１信号と関連する省電力信号の時間周波数リソースにおいて、他の信号の受信を行ってもよい。ＳＳ／ＰＢＣＨ  Ｂｌｏｃｋを例とすると、ＮＲシステムでは、ＳＳ／ＰＢＣＨ  ｂｌｏｃｋ  ｂｕｒｓｔが定義され、１つのＳＳ／ＰＢＣＨ  ｂｌｏｃｋ  ｂｕｒｓｔはＬ個のＳＳ／ＰＢＣＨ  ｂｌｏｃｋを含む。異なるシステム周波数帯域では、Ｌの値は異なってもよい。しかし、Ｌは最大のＳＳ／ＰＢＣＨ  ｂｌｏｃｋの個数であり、ネットワークから実際に送信されたＳＳ／ＰＢＣＨ  ｂｌｏｃｋの個数はＬより小さい可能性があり、実際に送信されたＳＳ／ＰＢＣＨ  ｂｌｏｃｋはＵＥに指示される必要があり、これにより、ＵＥはレートマッチングを行うことができ、ＳＳ／ＰＢＣＨ  ｂｌｏｃｋを送信しない時間周波数リソース位置は他のチャネル、例えば物理ダウンリンク共有チャネル（ＰＤＳＣＨ、ｐｈｙｓｉｃａｌ  ｄｏｗｎｌｉｎｋ  ｓｈａｒｅｄ  ｃｈａｎｎｅｌ）の伝送に用いられてもよい。そして実際に送信されたＳＳ／ＰＢＣＨ  ｂｌｏｃｋを送信する時間周波数リソース位置について、ＵＥはレートマッチングを行う際、該時間周波数リソースは他のチャネルの伝送に用いられてはならないと考えてもよい。ＮＲでは、ＳＳＢ−Ｔｒａｎｓｍｉｔｔｅｄパラメータによって実際に送信したＳＳ／ＰＢＣＨ  ｂｌｏｃｋの位置を決定してもよい。実際に送信したＳＳ／ＰＢＣＨ  ｂｌｏｃｋの情報ＳＳＢ−Ｔｒａｎｓｍｉｔｔｅｄは、残り最小システム情報（ＲＭＳＩ、Ｒｅｍａｉｎｉｎｇ  ｍｉｎｉｍｕｍ  ｓｙｓｔｅｍ  ｉｎｆｏｒｍａｔｉｏｎ）又は無線リソース制御（ＲＲＣ、Ｒａｄｉｏ  Ｒｅｓｏｕｒｃｅ  Ｃｏｎｔｒｏｌ）シグナリングにおけるｓｓｂ−ＰｏｓｉｔｉｏｎｓＩｎＢｕｒｓｔ情報を介して指示されてもよく、指示の方式はｂｉｔｍａｐであってもよく、異なる周波数帯域の場合、ｂｉｔｍａｐの長さが異なり、３ＧＨｚ以下の周波数帯域の場合、４ｂｉｔのｓｈｏｒｔＢｉｔｍａｐで指示されてもよく、３ＧＨｚ〜６ＧＨｚの間の周波数帯域の場合、８ｂｉｔのｍｅｄｉｕｍＢｉｔｍａｐで指示されてもよく、６ＧＨｚ以上の周波数帯域の場合、６４ｂｉｔのｌｏｎｇＢｉｔｍａｐで指示されてもよく、１つのＳＳ／ＰＢＣＨ  ｂｌｏｃｋ  ｂｕｒｓｔに含まれる４、８、６４個のＳＳ／ＰＢＣＨ  ｂｌｏｃｋにおける、実際に送信したＳＳ／ＰＢＣＨ  ｂｌｏｃｋの位置にそれぞれ対応する。ネットワーク装置は実際の情況に応じて実際に送信したＳＳ／ＰＢＣＨ  ｂｌｏｃｋを決定してもよく、例えば、セル内ＵＥの分布を考慮して相応のビームのカバー等を行い、これにより、ＳＳ／ＰＢＣＨ  ｂｌｏｃｋ及びその関連信号によるオーバーヘッドが減少される。ＷＵＳにとって、実際に送信したＳＳ／ＰＢＣＨ  ｂｌｏｃｋと関連でき、オーバーヘッドを減少できる。従って、端末装置はネットワーク装置設定及び実際に送信されたＳＳ／ＰＢＣＨ  ｂｌｏｃｋの情報に基づいてＷＵＳのリソースを決定してもよい。
【００４６】
選択肢として、本願実施例では、ネットワーク装置は更に実際に送信した省電力信号の情報を直接に端末装置に送信してもよく、そうすると、端末装置はネットワーク装置から実際に送信された省電力信号の情報に基づいて省電力信号の受信リソースを直接に決定することができ、更に実際に送信された省電力信号のリソース情報に基づいてレートマッチングを行うことができる。
【００４７】
尚、ネットワーク装置は該複数の省電力信号と複数の時間ユニットとを関連させてもよく、該複数の時間ユニットにおいて送信される信号は異なるビームで送信される信号であってもよい。具体的に、省電力信号の送信リソースと時間ユニットとの関連関係に基づいて、複数の省電力信号の送信リソースを決定することができる。例えば、ネットワーク装置は、１セットの省電力信号の送信リソースと１セットの時間ユニットとの位置関係を設定してもよく、さらに、該１セットの時間ユニットの位置に基づいて、省電力信号の送信リソースを決定することができる。理解されるように、ここの各省電力信号は、１つの時間ユニットに対応してもよく、複数の時間ユニットに対応してもよく、各省電力信号の対応する複数の時間ユニットは同じビームを採用してもよく、異なる省電力信号の対応する複数の時間ユニットは異なるビームを採用してもよい。
【００４８】
例えば、ページングメッセージもビームスキャンの方式によって送信される必要があり、即ち１つのＰＯには複数の時間ユニット又はリソースセットが含まれてもよく、異なる時間ユニット又はリソースセットにおいて、それぞれ異なるＳＳ／ＰＢＣＨ  ｂｌｏｃｋ又はＣＳＩ−ＲＳと関連関係を有する。ここで、所謂リソースセットは、時間次元、そして周波数領域次元のリソースを含む。即ち、１つの時間ユニットは１つのリソースセットに対応し、該リソースセットは時間領域においては相応の１つの時間ユニットである。
【００４９】
選択肢として、本願実施例では、上記関連関係は疑似コロケーション（ＱＣＬ、Ｑｕａｓｉ  ｃｏ−ｌｏｃａｔｉｏｎ）の関係であってもよい。
【００５０】
２つのアンテナポートの場合、もしそのアンテナポートのうちの一方を介してシンボルを送信する無線チャネルの大規模な特性を、他方のアンテナポートを介してシンボルを送信する無線チャネルから推測できるなら、その２つのアンテナポートは疑似コロケーションと見なされることができる。前記大規模な特性、即ちＱＣＬ情報は、ドップラーシフト、ドップラースプレッド（Ｄｏｐｐｌｅｒ  ｓｐｒｅａｄ）、平均遅延（ａｖｅｒａｇｅ  ｄｅｌａｙ）、遅延スプレッド（ｄｅｌａｙ  ｓｐｒｅａｄ）、及び空間受信パラメータ（Ｓｐａｔｉａｌ  Ｒｘ  ｐａｒａｍｅｔｅｒ）のうちの少なくとも１つのパラメータを含む。即ち、２つのアンテナポートがＱＣＬである場合、一方のアンテナポートの無線チャネルの大規模な特性が他方のアンテナポートの無線チャネルの大規模な特性に対応することを意味する。参照信号（ＲＳ、Ｒｅｆｅｒｅｎｃｅ  Ｓｉｇｎａｌ）を送信する複数のアンテナポートを考えると、２つの異なるタイプのＲＳを送信するアンテナポートがＱＣＬである場合、一方のアンテナポートの無線チャネルの大規模な特性は他方のアンテナポートの無線チャネルの大規模な特性によって代替されることができる。
【００５１】
仮にＡは参照信号であり、Ｂはターゲット信号であるとすると、もしＢが上記の大規模パラメータに関してＡと疑似コロケーションである場合、ＵＥはＡから該疑似コロケーションの大規模なパラメータを推定でき、そうすると、Ｂは該大規模なパラメータを利用して後続の操作を行うことができる。
【００５２】
選択肢として、ネットワーク装置の決定した複数の省電力信号における異なる省電力信号の送信リソースは異なるものであり、例えば、送信時間ユニット、周波数領域位置及びシーケンスのうちの少なくとも１つは異なる。各省電力信号の送信リソースはネットワーク装置によって決定されるものであり、例えば、ネットワーク装置は各省電力信号と相応の第１信号又は時間ユニットとの関連関係を設定してもよく、そうすると、端末装置は該関連関係に基づいて省電力信号の送信リソースを決定でき、これにより、相応の省電力信号を受信する。
【００５３】
ネットワーク装置にとって、ネットワーク装置の決定する少なくとも１つの省電力信号は１つの送信ウィンドウに対するものである。該送信ウィンドウはＤＲＸの送信ウィンドウ、即ち、上記の「ｏｎ  ｄｕｒａｔｉｏｎ」であってもよく、該送信ウィンドウは１つのページング時点であってもよく、又はＰＤＣＣＨのセンシングウィンドウ、即ちＰＤＣＣＨサーチスペース等である。端末装置にとって、該少なくとも１つの省電力信号は１つの受信ウィンドウに対するものであり、受信ウィンドウはＤＲＸの送信ウィンドウ、ページング時点、又はＰＤＣＣＨのセンシングウィンドウ等であってもよい。端末装置は該少なくとも１つの省電力信号を受信すると、対応する受信ウィンドウにおいてＰＤＣＣＨの検出を行うことができる。受信していない場合、端末装置は対応する受信ウィンドウにおいてＰＤＣＣＨの検出を行わない。
【００５４】
理解されるように、該少なくとも１つの省電力信号は、対応する１つの受信ウィンドウにおいてＰＤＣＣＨの検出を行わないことを端末装置に指示することに用いられるものであってもよい。即ち、端末装置は該少なくとも１つの省電力信号を受信すると、対応する受信ウィンドウにおいてＰＤＣＣＨの検出を行わない。受信していない場合、端末装置は対応する受信ウィンドウにおいてＰＤＣＣＨの検出を行う。
【００５５】
ここに係る、少なくとも１つの省電力信号に対応する受信ウィンドウは、該少なくとも１つの省電力信号の後の１番目の受信ウィンドウであってもよく、又はその後の他の受信ウィンドウであってもよく、その後の複数の受信ウィンドウであってもよく、本願実施例はこれについての限定とならない。
【００５６】
具体的に、アイドル状態にある端末装置にとって、該受信ウィンドウはページング時点である。端末装置は複数の省電力信号を受信する可能性があり、そして最後には自分に属する省電力信号を決定する。一方、接続状態にある端末装置にとって、該受信ウィンドウはＤＲＸの送信ウィンドウである可能性があり、ネットワーク装置と端末装置は互いに該端末装置に属するビーム方向を知っているため、端末装置は自分に属する省電力信号を直接に受信することができる。しかし、移動していて且つ接続状態にある端末装置にとって、該端末装置は複数の省電力信号を受信する可能性もある。
【００５７】
選択肢として、本願実施例では、異なる端末装置の能力に対応する、省電力信号と受信ウィンドウとの最小時間間隔について異なる要求があるため、端末装置にとって、省電力信号の受信リソースは更に端末装置の能力に基づいて決定されてもよい。
【００５８】
理解されるように、本願実施例の第１信号は上記に挙げたＳＳ／ＰＢＣＨ  Ｂｌｏｃｋ又はＣＳＩ−ＲＳであってもよく、ビームで伝送される他の信号、又はＳＳ／ＰＢＣＨ  Ｂｌｏｃｋ又はＣＳＩ−ＲＳと関連する信号、又はＰＤＣＣＨチャネルそれ自体であってもよく、本願実施例はこれについて限定しない。本願実施例の時間ユニットは上記に挙げたＰＯにおける時間ユニットであってもよく、ビームで伝送される他の信号の占有するリソース、又はＳＳ／ＰＢＣＨ  Ｂｌｏｃｋ又はＣＳＩ−ＲＳと関連するリソースであってもよく、本願実施例はこれについて限定しない。
【００５９】
従って、本願実施例の信号伝送の方法では、省電力信号と既存の幾つかの信号とを、又は省電力信号の送信リソースと既存の幾つかの時間ユニットとを関連させ、端末装置の省電力信号受信の信頼性を高めることに利する。
【００６０】
図３は本願実施例が提供する信号伝送の方法３００の模式的なフローチャートである。図３に示すように、該方法３００は以下Ｓ３１０〜Ｓ３２０の一部又は全部の内容を含む。
【００６１】
Ｓ３１０、端末装置は少なくとも１つの省電力信号の受信リソースを決定し、前記少なくとも１つの省電力信号と少なくとも１つの第１信号とが関連し、又は、前記少なくとも１つの省電力信号の受信リソースと少なくとも１つの時間ユニットとが関連する。
【００６２】
Ｓ３２０、前記端末装置は、前記少なくとも１つの省電力信号の受信リソースにおいて前記少なくとも１つの省電力信号をそれぞれ受信する。
【００６３】
従って、本願実施例の信号伝送の方法では、省電力信号と既存の幾つかの信号とを、又は省電力信号の送信リソースと既存の幾つかの時間ユニットとを関連させ、端末装置の省電力信号受信の信頼性を高めることに利する。
【００６４】
選択肢として、本願実施例では、該少なくとも１つの第１信号は第１セットの第１サブセットであり、該方法は更に、該端末装置が該ネットワーク装置から送信された該少なくとも１つの第１信号の情報を受信することを含み、該端末装置が少なくとも１つの省電力信号の受信リソースを決定することは、該端末装置が該少なくとも１つの第１信号の情報に基づいて、該少なくとも１つの省電力信号の受信リソースを決定することを含む。
【００６５】
選択肢として、本願実施例では、該方法は更に、該端末装置が該少なくとも１つの第１信号の情報に基づいて、該第１セットにおける第１信号と関連する省電力信号のレートマッチングを行うことを含む。
【００６６】
選択肢として、本願実施例では、該端末装置が該少なくとも１つの第１信号の情報に基づいて、該第１セットにおける第１信号と関連する省電力信号のレートマッチングを行うことは、
該端末装置が該第１セットの第２サブセットと関連する省電力信号の受信リソースにおいて、該省電力信号以外の信号を受信し、該第２サブセットは該第１セットにおける、該少なくとも１つの第１信号以外の第１信号を含むことを含む。
【００６７】
選択肢として、本願実施例では、前記第１信号は同期／ブロードキャストチャネル（ＳＳ／ＰＢＣＨ）ブロック及び／又はチャネル状態情報参照信号（ＣＳＩ−ＲＳ）を含み、前記少なくとも１つの時間ユニットは第１ページング時点（ＰＯ）における時間ユニットである。
【００６８】
選択肢として、本願実施例では、前記省電力信号と前記第１信号とは疑似コロケーションであり、前記省電力信号と前記時間ユニットにおいて送信される信号とは疑似コロケーションである。
【００６９】
選択肢として、本願実施例では、前記少なくとも１つの省電力信号は複数の省電力信号であり、前記複数の省電力信号における任意の２つの省電力信号の送信時間ユニット、周波数領域位置及びシーケンスのうちの少なくとも１つは異なる。
【００７０】
選択肢として、本願実施例では、前記送信時間ユニット、前記周波数領域位置又は前記シーケンスは前記ネットワーク装置によって設定されたものである。
【００７１】
選択肢として、本願実施例では、前記方法は更に、前記端末装置が前記少なくとも１つの省電力信号に基づいて、前記少なくとも１つの省電力信号に対応する受信ウィンドウ内においてＰＤＣＣＨの検出を行い、又は前記端末装置が前記少なくとも１つの省電力信号に基づいて、前記少なくとも１つの省電力信号に対応する受信ウィンドウ内においてＰＤＣＣＨの検出を行わないことを含む。
【００７２】
選択肢として、本願実施例では、前記受信ウィンドウは間欠受信（ＤＲＸ）送信ウィンドウ、ページング時点又はＰＤＣＣＨサーチスペースを含む。
【００７３】
選択肢として、本願実施例では、前記端末装置が少なくとも１つの省電力信号の受信リソースを決定することは、前記端末装置が前記端末装置の能力に基づいて、前記少なくとも１つの省電力信号の受信リソースを決定することを含む。
【００７４】
理解されるように、端末装置について説明される端末装置とネットワーク装置との間のインタラクション及び関係特性、機能等は、ネットワーク装置の関係特性、機能と対応する。即ち、ネットワーク装置が端末装置に何かのメッセージを送信すれば、それに対応して、端末装置は相応のメッセージを受信する。
【００７５】
更に理解されるように、本願の各種の実施例において、上記各プロセスの番号は実行順序の後先を意味するものではなく、各プロセスの実行順序はその機能と内的論理によって決定されるべきであり、本願実施例の実施プロセスに対して何らの限定となるべきではない。
【００７６】
以上は本願実施例の信号伝送の方法を詳しく説明したが、以下は図４〜図７を参照しながら、本願実施例の信号伝送の装置を説明する。方法実施例で説明した技術的特徴は以下の装置実施例に適用する。
【００７７】
図４は本願実施例のネットワーク装置４００の模式的なブロック図を示す。図４に示すように、該ネットワーク装置４００は、
少なくとも１つの省電力信号の送信リソースを決定し、前記少なくとも１つの省電力信号と少なくとも１つの第１信号とが関連し、又は、前記少なくとも１つの省電力信号の送信リソースと少なくとも１つの時間ユニットとが関連することに用いられる決定ユニット４１０と、
前記少なくとも１つの省電力信号の送信リソースにおいて前記少なくとも１つの省電力信号をそれぞれ送信することに用いられる送信ユニット４２０と、を備える。
【００７８】
選択肢として、本願実施例では、該少なくとも１つの第１信号は第１セットの第１サブセットであり、該送信ユニットは更に、端末装置に該少なくとも１つの第１信号の情報を送信することに用いられ、該少なくとも１つの第１信号の情報は、該端末装置が該少なくとも１つの第１信号と関連する省電力信号の送信リソースを決定することに用いられる。
【００７９】
選択肢として、本願実施例では、該少なくとも１つの第１信号の情報は更に、該端末装置が該第１セットにおける第１信号と関連する省電力信号のレートマッチングを行うことに用いられる。
【００８０】
選択肢として、本願実施例では、該第１信号は同期／ブロードキャストチャネル（ＳＳ／ＰＢＣＨ）ブロック及び／又はチャネル状態情報参照信号（ＣＳＩ−ＲＳ）を含み、該少なくとも１つの時間ユニットは第１ページング時点（ＰＯ）における時間ユニットである。
【００８１】
選択肢として、本願実施例では、該省電力信号と該第１信号とは疑似コロケーションであり、該省電力信号と該時間ユニットにおいて送信される信号とは疑似コロケーションである。
【００８２】
選択肢として、本願実施例では、該少なくとも１つの省電力信号は複数の省電力信号であり、該複数の省電力信号における任意の２つの省電力信号の送信時間ユニット、周波数領域位置及びシーケンスのうちの少なくとも１つは異なる。
【００８３】
選択肢として、本願実施例では、該送信時間ユニット、該周波数領域位置又は該シーケンスは該ネットワーク装置によって設定されたものである。
【００８４】
選択肢として、本願実施例では、該少なくとも１つの省電力信号は、該少なくとも１つの省電力信号に対応する送信ウィンドウ内においてＰＤＣＣＨの検出を行う必要があること、又は必要がないことを指示することに用いられる。
【００８５】
選択肢として、本願実施例では、該送信ウィンドウは間欠受信（ＤＲＸ）送信ウィンドウ、ページング時点又はＰＤＣＣＨサーチスペースを含む。
【００８６】
理解されるように、本願実施例によるネットワーク装置４００は、本願の方法実施例におけるネットワーク装置に対応することができ、そしてネットワーク装置４００における各ユニットの上記及び他の動作、及び／又は機能は、それぞれ図２の方法におけるネットワーク装置の相応のプロセスを実現するためのものであり、簡潔のために、ここでは繰り返して説明しない。
【００８７】
図５は本願実施例のネットワーク装置５００の模式的なブロック図を示す。図５に示すように、該ネットワーク装置５００は、
少なくとも１つの省電力信号の受信リソースを決定し、該少なくとも１つの省電力信号と少なくとも１つの第１信号とが関連し、又は、該少なくとも１つの省電力信号の受信リソースと少なくとも１つの時間ユニットとが関連することに用いられる決定ユニット５１０と、
該少なくとも１つの省電力信号の受信リソースにおいて該少なくとも１つの省電力信号をそれぞれ受信することに用いられる受信ユニット５２０と、を備える。
【００８８】
選択肢として、本願実施例では、該少なくとも１つの第１信号は第１セットの第１サブセットであり、該少なくとも１つの第１信号はネットワーク装置の送信対象の第１信号であり、該受信ユニットは更に、該ネットワーク装置から送信された該少なくとも１つの第１信号の情報を受信することに用いられ、該決定ユニットは具体的に、該少なくとも１つの第１信号の情報に基づいて、該少なくとも１つの省電力信号の受信リソースを決定することに用いられる。
【００８９】
選択肢として、本願実施例では、該端末装置は更に、該少なくとも１つの第１信号の情報に基づいて、該第１セットにおける第１信号と関連する省電力信号のレートマッチングを行うことに用いられるレートマッチングユニットを備える。
【００９０】
選択肢として、本願実施例では、レートマッチングユニットは具体的に、該第１セットの第２サブセットと関連する省電力信号の受信リソースにおいて、該省電力信号以外の信号を受信することに用いられ、該第２サブセットは該第１セットにおける、該少なくとも１つの第１信号以外の第１信号を含む。
【００９１】
選択肢として、本願実施例では、前記第１信号は同期／ブロードキャストチャネル（ＳＳ／ＰＢＣＨ）ブロック及び／又はチャネル状態情報参照信号（ＣＳＩ−ＲＳ）を含み、前記少なくとも１つの時間ユニットは第１ページング時点（ＰＯ）における時間ユニットである。
【００９２】
選択肢として、本願実施例では、前記省電力信号と前記第１信号とは疑似コロケーションであり、前記省電力信号と前記時間ユニットにおいて送信される信号とは疑似コロケーションである。
【００９３】
選択肢として、本願実施例では、前記少なくとも１つの省電力信号は複数の省電力信号であり、前記複数の省電力信号における任意の２つの省電力信号の送信時間ユニット、周波数領域位置及びシーケンスのうちの少なくとも１つは異なる。
【００９４】
選択肢として、本願実施例では、前記送信時間ユニット、前記周波数領域位置又は前記シーケンスは前記ネットワーク装置によって設定されたものである。
【００９５】
選択肢として、本願実施例では、前記端末装置は更に、前記少なくとも１つの省電力信号に基づいて、前記少なくとも１つの省電力信号に対応する受信ウィンドウ内においてＰＤＣＣＨの検出を行い、又は前記少なくとも１つの省電力信号に基づいて、前記少なくとも１つの省電力信号に対応する受信ウィンドウ内においてＰＤＣＣＨの検出を行わないことに用いられる検出ユニットを備える。
【００９６】
選択肢として、本願実施例では、前記受信ウィンドウは間欠受信（ＤＲＸ）送信ウィンドウ、ページング時点又はＰＤＣＣＨサーチスペースを含む。
【００９７】
選択肢として、本願実施例では、前記決定ユニットは具体的に、前記端末装置の能力に基づいて、前記少なくとも１つの省電力信号の受信リソースを決定することに用いられる。
【００９８】
理解されるように、本願実施例による端末装置５００は、本願の方法実施例における端末装置に対応することができ、そして端末装置５００における各ユニットの上記及び他の動作、及び／又は機能は、それぞれ図２の方法における端末装置の相応のプロセスを実現するためのものであり、簡潔のために、ここでは繰り返して説明しない。
【００９９】
図６に示すように、本願実施例は更にネットワーク装置６００を提供し、該ネットワーク装置６００は図４におけるネットワーク装置４００であってもよく、該ネットワーク装置６００は、図２における方法２００に対応するネットワーク装置の内容を実行することに用いられることができる。図６に示すネットワーク装置６００はプロセッサ６１０を備え、プロセッサ６１０はコンピュータプログラムをメモリから呼び出して実行することができ、それによって本願実施例における方法を実現する。
【０１００】
選択肢として、図６に示すように、ネットワーク装置６００は更にメモリ６２０を備えてもよい。プロセッサ６１０はコンピュータプログラムをメモリ６２０から呼び出して実行することができ、それによって本願実施例における方法を実現する。
【０１０１】
メモリ６２０はプロセッサ６１０から独立した１つの単独のデバイスであってもよく、プロセッサ６１０に集積されてもよい。
【０１０２】
選択肢として、図６に示すように、ネットワーク装置６００は更に送受信機６３０を備えてもよく、プロセッサ６１０は該送受信機６３０が他の装置と通信するのを制御することができ、具体的には、他の装置に情報又はデータを送信し、又は他の装置から送信された情報又はデータを受信することができる。
【０１０３】
送受信機６３０は送信機と受信機を備えてもよい。送受信機６３０は更にアンテナを備えてもよく、アンテナの数は１つ又は複数であってもよい。
【０１０４】
選択肢として、該ネットワーク装置６００は本願実施例のネットワーク装置であってもよく、そして該ネットワーク装置６００は本願実施例の各方法におけるネットワーク装置によって実現される相応のプロセスを実現でき、簡潔のために、ここでは繰り返して説明しない。
【０１０５】
１つの具体的な実施形態では、ネットワーク装置６００における決定ユニットは図６におけるプロセッサ６１０によって実現されてもよい。ネットワーク装置６００における送信ユニットは図６における送受信機６３０によって実現されてもよい。
【０１０６】
図７に示すように、本願実施例は更に端末装置７００を提供し、該端末装置７００は図５における端末装置５００であってもよく、該端末装置７００は、図３における方法３００に対応する端末装置の内容を実行することに用いられることができる。図７に示す端末装置７００はプロセッサ７１０を備え、プロセッサ７１０はコンピュータプログラムをメモリから呼び出して実行することができ、それによって本願実施例における方法を実現する。
【０１０７】
選択肢として、図７に示すように、端末装置７００は更にメモリ７２０を備えてもよい。プロセッサ７１０はコンピュータプログラムをメモリ７２０から呼び出して実行することができ、それによって本願実施例における方法を実現する。
【０１０８】
メモリ７２０はプロセッサ７１０から独立した１つの単独のデバイスであってもよく、プロセッサ７１０に集積されてもよい。
【０１０９】
選択肢として、図７に示すように、端末装置７００は更に送受信機７３０を備えてもよく、プロセッサ７１０は該送受信機７３０が他の装置と通信するのを制御することができ、具体的には、他の装置に情報又はデータを送信し、又は他の装置から送信された情報又はデータを受信することができる。
【０１１０】
送受信機７３０は送信機と受信機を備えてもよい。送受信機７３０は更にアンテナを備えてもよく、アンテナの数は１つ又は複数であってもよい。
【０１１１】
選択肢として、該端末装置７００は本願実施例の端末装置であってもよく、そして該端末装置７００は本願実施例の各方法における端末装置によって実現される相応のプロセスを実現でき、簡潔のために、ここでは繰り返して説明しない。
【０１１２】
１つの具体的な実施形態では、端末装置７００における決定ユニットは図７におけるプロセッサ７１０によって実現されてもよい。端末装置７００における受信ユニットは図７における送受信機７３０によって実現されてもよい。
【０１１３】
図８は本願実施例のチップの模式的な構造図である。図８に示すチップ８００はプロセッサ８１０を備え、プロセッサ８１０はコンピュータプログラムをメモリから呼び出して実行することができ、それによって本願実施例における方法を実現する。
【０１１４】
選択肢として、図８に示すように、チップ８００は更にメモリ８２０を備えてもよい。プロセッサ８１０はコンピュータプログラムをメモリ８２０から呼び出して実行することができ、それによって本願実施例における方法を実現する。
【０１１５】
メモリ８２０はプロセッサ８１０から独立した１つの単独のデバイスであってもよく、プロセッサ８１０に集積されてもよい。
【０１１６】
選択肢として、該チップ８００は更に入力インタフェース８３０を備えてもよい。プロセッサ８１０は該入力インタフェース８３０が他の装置又はチップと通信するのを制御することができ、具体的には、他の装置又はチップから送信された情報又はデータを取得することができる。
【０１１７】
選択肢として、該チップ８００は更に出力インタフェース８４０を備えてもよい。プロセッサ８１０は該出力インタフェース８４０が他の装置又はチップと通信するのを制御することができ、具体的には、他の装置又はチップに情報又はデータを出力することができる。
【０１１８】
選択肢として、該チップは本願実施例におけるネットワーク装置に適用されてもよく、そして該チップは本願実施例の各方法におけるネットワーク装置によって実現される相応のプロセスを実現でき、簡潔のために、ここでは繰り返して説明しない。
【０１１９】
選択肢として、該チップは本願実施例における端末装置に適用されてもよく、そして該チップは本願実施例の各方法における端末装置によって実現される相応のプロセスを実現でき、簡潔のために、ここでは繰り返して説明しない。
【０１２０】
理解されるように、本願実施例で言及されるチップはまた、システムレベルチップ、システムチップ、チップシステム、又はシステムオンチップ等と称されてもよい。
【０１２１】
図９は本願実施例が提供する通信システム９００の模式的なブロック図である。図９に示すように、該通信システム９００は端末装置９１０とネットワーク装置９２０を備える。
【０１２２】
該端末装置９１０は上記の方法における端末装置によって実現される相応の機能を実現することに用いられることができ、そして該ネットワーク装置９２０は上記の方法におけるネットワーク装置によって実現される相応の機能を実現することに用いられることができ、簡潔のために、ここでは繰り返して説明しない。
【０１２３】
理解されるように、本願実施例のプロセッサは信号処理能力を有する集積回路チップであり得る。実現過程において、上記方法実施例の各ステップはプロセッサにおけるハードウェアの集積論理回路又はソフトウェア形式の命令で遂行できる。上記のプロセッサは、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェアコンポーネントであってもよい。本願実施例に開示される各方法、ステップ及び論理ブロック図を実現又は実行することができる。汎用プロセッサはマイクロプロセッサであってもよく、又は該プロセッサは如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１２４】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。例示的であって制限的ではない説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。尚、本明細書に説明されるシステム及び方法のメモリはこれらのメモリ及び任意の他の適切なタイプのメモリを含むが、これらに限らないように意図されている。
【０１２５】
理解されるように、上記メモリの記載は例示的であって制限的なものではなく、例えば、本願実施例におけるメモリは更に、スタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。即ち、本発明実施例におけるメモリはこれらのメモリ及び任意の他の適切なタイプのメモリを含むが、これらに限らないように意図されている。
【０１２６】
本願実施例は更にコンピュータ可読記憶媒体を提供し、コンピュータプログラムを記憶することに用いられる。
【０１２７】
選択肢として、該コンピュータ可読記憶媒体は本願実施例におけるネットワーク装置に適用されてもよく、そして該コンピュータプログラムは、コンピュータに本願実施例の各方法におけるネットワーク装置によって実現される相応のプロセスを実行させ、簡潔のために、ここでは繰り返して説明しない。
【０１２８】
選択肢として、該コンピュータ可読記憶媒体は本願実施例における端末装置に適用されてもよく、そして該コンピュータプログラムは、コンピュータに本願実施例の各方法におけるモバイル端末／端末装置によって実現される相応のプロセスを実行させ、簡潔のために、ここでは繰り返して説明しない。
【０１２９】
本願実施例は更にコンピュータプログラム製品を提供し、コンピュータプログラム命令を含む。
【０１３０】
選択肢として、該コンピュータプログラム製品は本願実施例におけるネットワーク装置に適用されてもよく、そして該コンピュータプログラム命令は、コンピュータに本願実施例の各方法におけるネットワーク装置によって実現される相応のプロセスを実行させ、簡潔のために、ここでは繰り返して説明しない。
【０１３１】
選択肢として、該コンピュータプログラム製品は本願実施例における端末装置に適用されてもよく、そして該コンピュータプログラム命令は、コンピュータに本願実施例の各方法におけるモバイル端末／端末装置によって実現される相応のプロセスを実行させ、簡潔のために、ここでは繰り返して説明しない。
【０１３２】
本願実施例は更にコンピュータプログラムを提供する。
【０１３３】
選択肢として、該コンピュータプログラムは本願実施例におけるネットワーク装置に適用されてもよく、該コンピュータプログラムがコンピュータにおいて実行される時、コンピュータは本願実施例の各方法におけるネットワーク装置によって実現される相応のプロセスを実行し、簡潔のために、ここでは繰り返して説明しない。
【０１３４】
選択肢として、該コンピュータプログラムは本願実施例における端末装置に適用されてもよく、該コンピュータプログラムがコンピュータにおいて実行される時、コンピュータは本願実施例の各方法における端末装置によって実現される相応のプロセスを実行し、簡潔のために、ここでは繰り返して説明しない。
【０１３５】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【０１３６】
当業者が明確に理解できるように、説明を容易且つ簡単にするために、上記説明されたシステム、装置及びユニットの具体的な動作過程は、前述の方法実施例における対応する過程を参照でき、ここでは繰り返して説明しない。
【０１３７】
本願に係る幾つかの実施例において、理解されるように、開示されるシステム、装置及び方法は他の方式で実現されてもよい。例えば、上記の装置実施例は単に模式的なものであり、例えば、説明したユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。尚、表示又は検討される相互間の結合又は直接結合又は通信接続は、幾つかのインタフェース、装置又はユニットを介した間接結合又は通信接続であってもよく、電気的、機械的、又は他の形態であってもよい。
【０１３８】
分離部材として説明された前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１３９】
また、本願の各実施例において、各機能ユニットは１つの処理ユニットに統合されてもよく、各ユニットは独立して物理的に存在してもよく、２つ又は２つ以上のユニットが１つのユニットに統合されてもよい。
【０１４０】
前記機能は、ソフトウェア機能ユニットの形で実現され、そして独立した製品として販売又は使用される場合、コンピュータ読み取り可能な記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１４１】
以上の説明は単に本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は、特許請求の範囲に記載の保護範囲に準じるべきである。
【図１】
2021530137.tif 000003
【図２】
2021530137.tif 000004
【図３】
2021530137.tif 000005
【図４】
2021530137.tif 000006
【図５】
2021530137.tif 000007
【図６】
2021530137.tif 000008
【図７】
2021530137.tif 000009
【図８】
2021530137.tif 000010
【図９】
2021530137.tif 000011
【手続補正書】
【提出日】令和3年2月25日(2021.2.25)
【手続補正１】
【補正対象書類名】明細書
【補正対象項目名】００８７
【補正方法】変更
【補正の内容】
【００８７】
図５は本願実施例の端末装置５００の模式的なブロック図を示す。図５に示すように、該端末装置５００は、
少なくとも１つの省電力信号の受信リソースを決定し、該少なくとも１つの省電力信号と少なくとも１つの第１信号とが関連し、又は、該少なくとも１つの省電力信号の受信リソースと少なくとも１つの時間ユニットとが関連することに用いられる決定ユニット５１０と、
該少なくとも１つの省電力信号の受信リソースにおいて該少なくとも１つの省電力信号をそれぞれ受信することに用いられる受信ユニット５２０と、を備える。
【手続補正２】
【補正対象書類名】特許請求の範囲
【補正対象項目名】全文
【補正方法】変更
【補正の内容】
【特許請求の範囲】
【請求項１】
信号伝送の方法であって、
端末装置が少なくとも１つの省電力信号の受信リソースを決定し、前記少なくとも１つの省電力信号と少なくとも１つの第１信号とが関連し、又は、前記少なくとも１つの省電力信号の受信リソースと少なくとも１つの時間ユニットとが関連することと、
前記端末装置が前記少なくとも１つの省電力信号の受信リソースにおいて前記少なくとも１つの省電力信号をそれぞれ受信することと、を含むことを特徴とする信号伝送の方法。
【請求項２】
前記少なくとも１つの第１信号は第１セットの第１サブセットであり、前記方法は更に、
前記端末装置が前記ネットワーク装置から送信された前記少なくとも１つの第１信号の情報を受信することを含み、
前記端末装置が少なくとも１つの省電力信号の受信リソースを決定することは、
前記端末装置が前記少なくとも１つの第１信号の情報に基づいて、前記少なくとも１つの省電力信号の受信リソースを決定することを含むことを特徴とする請求項１に記載の方法。
【請求項３】
前記方法は更に、
前記端末装置が前記少なくとも１つの第１信号の情報に基づいて、前記第１セットにおける第１信号と関連する省電力信号のレートマッチングを行うことを含むことを特徴とする請求項２に記載の方法。
【請求項４】
前記端末装置が前記少なくとも１つの第１信号の情報に基づいて、前記第１セットにおける第１信号と関連する省電力信号のレートマッチングを行うことは、
前記端末装置が前記第１セットの第２サブセットと関連する省電力信号の受信リソースにおいて、前記省電力信号以外の信号を受信し、前記第２サブセットは前記第１セットにおける、前記少なくとも１つの第１信号以外の第１信号を含むことを含むことを特徴とする請求項３に記載の方法。
【請求項５】
前記第１信号は同期／ブロードキャストチャネル（ＳＳ／ＰＢＣＨ）ブロック及び／又はチャネル状態情報参照信号（ＣＳＩ−ＲＳ）を含み、前記少なくとも１つの時間ユニットは第１ページング時点（ＰＯ）における時間ユニットであることを特徴とする請求項１〜４のいずれか１項に記載の方法。
【請求項６】
前記少なくとも１つの省電力信号と少なくとも１つの第１信号とが関連する場合、前記省電力信号と前記第１信号とは疑似コロケーションであり、前記少なくとも１つの省電力信号の受信リソースと少なくとも１つの時間ユニットとが関連する場合、前記省電力信号と前記時間ユニットにおいて送信される信号とは疑似コロケーションであることを特徴とする請求項１〜５のいずれか１項に記載の方法。
【請求項７】
前記少なくとも１つの省電力信号は複数の省電力信号であり、前記複数の省電力信号における任意の２つの省電力信号の送信時間ユニット、周波数領域位置及びシーケンスのうちの少なくとも１つは異なることを特徴とする請求項１〜６のいずれか１項に記載の方法。
【請求項８】
前記送信時間ユニット、前記周波数領域位置又は前記シーケンスは前記ネットワーク装置によって設定されたものであることを特徴とする請求項７に記載の方法。
【請求項９】
前記方法は更に、
前記端末装置が前記少なくとも１つの省電力信号に基づいて、前記少なくとも１つの省電力信号に対応する受信ウィンドウ内においてＰＤＣＣＨの検出を行い、又は、
前記端末装置が前記少なくとも１つの省電力信号に基づいて、前記少なくとも１つの省電力信号に対応する受信ウィンドウ内において物理ダウンリンク制御チャネル（ＰＤＣＣＨ）の検出を行わないことを含むことを特徴とする請求項１〜８のいずれか１項に記載の方法。
【請求項１０】
前記受信ウィンドウは間欠受信（ＤＲＸ）送信ウィンドウ、ページング時点又はＰＤＣＣＨサーチスペースを含むことを特徴とする請求項９に記載の方法。
【請求項１１】
前記端末装置が少なくとも１つの省電力信号の受信リソースを決定することは、
前記端末装置が前記端末装置の能力に基づいて、前記少なくとも１つの省電力信号の受信リソースを決定することを含むことを特徴とする請求項１〜１０のいずれか１項に記載の方法。
【請求項１２】
端末装置であって、
少なくとも１つの省電力信号の受信リソースを決定し、前記少なくとも１つの省電力信号と少なくとも１つの第１信号とが関連し、又は、前記少なくとも１つの省電力信号の受信リソースと少なくとも１つの時間ユニットとが関連することに用いられる決定ユニットと、
前記少なくとも１つの省電力信号の受信リソースにおいて前記少なくとも１つの省電力信号をそれぞれ受信することに用いられる受信ユニットと、を備えることを特徴とする端末装置。
【請求項１３】
前記少なくとも１つの第１信号は第１セットの第１サブセットであり、前記受信ユニットは更に、
前記ネットワーク装置から送信された前記少なくとも１つの第１信号の情報を受信することに用いられ、
前記決定ユニットは具体的に、
前記少なくとも１つの第１信号の情報に基づいて、前記少なくとも１つの省電力信号の受信リソースを決定することに用いられることを特徴とする請求項１２に記載の端末装置。
【請求項１４】
前記端末装置は更に、
前記少なくとも１つの第１信号の情報に基づいて、前記第１セットにおける第１信号と関連する省電力信号のレートマッチングを行うことに用いられるレートマッチングユニットを備えることを特徴とする請求項１３に記載の端末装置。
【請求項１５】
前記レートマッチングユニットは具体的に、
前記第１セットの第２サブセットと関連する省電力信号の受信リソースにおいて、前記省電力信号以外の信号を受信し、前記第２サブセットは前記第１セットにおける、前記少なくとも１つの第１信号以外の第１信号を含むことに用いられることを特徴とする請求項１４に記載の端末装置。
【請求項１６】
前記少なくとも１つの省電力信号と少なくとも１つの第１信号とが関連する場合、前記省電力信号と前記第１信号とは疑似コロケーションであり、前記少なくとも１つの省電力信号の受信リソースと少なくとも１つの時間ユニットとが関連する場合、前記省電力信号と前記時間ユニットにおいて送信される信号とは疑似コロケーションであることを特徴とする請求項１２〜１５のいずれか１項に記載の端末装置。
【請求項１７】
前記少なくとも１つの省電力信号は複数の省電力信号であり、前記複数の省電力信号における任意の２つの省電力信号の送信時間ユニット、周波数領域位置及びシーケンスのうちの少なくとも１つは異なることを特徴とする請求項１２〜１６のいずれか１項に記載の端末装置。
【請求項１８】
前記端末装置は更に、
前記少なくとも１つの省電力信号に基づいて、前記少なくとも１つの省電力信号に対応する受信ウィンドウ内においてＰＤＣＣＨの検出を行い、又は、
前記少なくとも１つの省電力信号に基づいて、前記少なくとも１つの省電力信号に対応する受信ウィンドウ内においてＰＤＣＣＨの検出を行わないことに用いられる検出ユニットを備えることを特徴とする請求項１２〜１７のいずれか１項に記載の端末装置。
【請求項１９】
前記受信ウィンドウは間欠受信（ＤＲＸ）送信ウィンドウ、ページング時点又はＰＤＣＣＨサーチスペースを含むことを特徴とする請求項１８に記載の端末装置。
【請求項２０】
前記決定ユニットは具体的に、
前記端末装置の能力に基づいて、前記少なくとも１つの省電力信号の受信リソースを決定することに用いられることを特徴とする請求項１２〜１９のいずれか１項に記載の端末装置。
【手続補正３】
【補正対象書類名】図面
【補正対象項目名】図７
【補正方法】変更
【補正の内容】
【図７】
2021530137.tif 000012
【国際調査報告】
2021530137.tif 000013
2021530137.tif 000014
2021530137.tif 000015
2021530137.tif 000016